(57)【特許請求の範囲】
【請求項１】
受信周波数を可変設定する周波数を有した局部発振信号をもって、入力信号を搬送周波数が予め選定された中間周波数とされる中間周波信号に変換する周波数変換部と、
該周波数変換部から得られる中間周波信号を増幅する中間周波増幅部と、
上記中間周波数に実質的に一致する中心周波数を有した復調特性をもって、上記中間周波増幅部から得られる中間周波信号に周波数復調を施す周波数復調部と、
該周波数復調部から得られる復調出力信号の直流電圧レベルが所定のレベル以上であるとき、予め設定されたレベルをとる第１のレベル検出出力信号を発生する直流レベル検出部と、
上記中間周波増幅部から得られる中間周波信号における上記中心周波数を含む所定の周波数範囲内にある周波数成分が所定以上のレベルを有するとき、予め設定されたレベルをとる第２のレベル検出出力信号を発生する中間周波レベル検出部と、
上記受信周波数が所定の周波数間隔をもって逐次段階的に変化せしめられる走査同調動作が行われるとき、上記中間周波レベル検出部からの第２のレベル検出出力信号が予め設定されたレベルをとることになる受信周波数より一段階前の受信周波数が設定されたもとで、上記直流レベル検出部からの第１のレベル検出出力信号が予め設定されたレベルをとっているか否かにより、上記入力信号が受信が望まれる搬送信号かイメージ周波数信号かを判別する信号判別部と、
を備えて構成される搬送信号選択受信装置。
【請求項２】
上記直流レベル検出部が、上記周波数復調部から得られる復調出力信号の直流電圧レベルが、上記中間周波信号における上記周波数復調部の中心周波数に対応する周波数成分に応じて得られる上記復調出力信号の直流電圧レベル以上であるとき、上記第１のレベル検出出力信号を発生することを特徴とする請求項１記載の搬送信号選択受信装置。
【請求項３】
上記信号判別部において得られる判別結果が上記局部発振信号の周波数制御に用いられることを特徴とする請求項１または２記載の搬送信号選択受信装置。
【請求項４】
上記信号判別部が、上記直流レベル検出部からの第１のレベル検出出力信号及び上記中間周波レベル検出部から第２のレベル検出出力信号が供給されるマイクロコンピュータが用いられて構成されることを特徴とする請求項１から請求項３のいずれかに記載の搬送信号選択受信装置。
【発明の詳細な説明】
【０００１】
【発明の属する技術分野】
本願の特許請求の範囲に記載された発明は、周波数変調（ＦＭ）ラジオ放送信号等のＦＭ搬送信号を選択受信し、受信されたＦＭ搬送信号についての復調出力信号を得る搬送信号選択受信装置に関する。
【０００２】
【従来の技術】
ＦＭラジオ放送信号等のＦＭ搬送信号の受信に用いられるスーパーヘテロダイン方式をとる受信装置の分野においては、従前の受信周波数の設定にバリアブルコンデンサが使用されるアナログ同調方式に代えて、受信周波数の設定にフェイズ・ロックド・ループ（ＰＬＬ）が使用されるディジタル同調方式を採用することが一般的になってきている。このようなディジタル同調方式にあっては、受信周波数が、例えば、マイクロコンピュータにより制御されるＰＬＬによって、使用者による微調整が不要とされるもとで適正に可変設定される。
【０００３】
また、ディジタル同調方式が採用された受信装置においては、ＰＬＬによって可変設定される受信周波数が、一定の周波数間隔を置いて逐次変化せしめられていき、その過程において設定される各受信周波数に対応するＦＭ搬送信号が到来しているとき、その受信周波数が維持されてそれに対応するＦＭ搬送信号の受信状態がとられるようにされて、ＦＭ搬送信号が探索されることになる走査同調動作が行われる。そして、斯かる走査同調動作が行われる際には、受信が望まれるＦＭ搬送信号でないイメージ周波数信号が、恰も、ＦＭ搬送信号の如くに作用し、受信周波数の変化が止められてしまう誤動作が生じないようにされることが望まれる。
【０００４】
そこで、従来にあっては、受信されたＦＭ搬送信号に周波数変換が施されることにより得られる中間周波信号を、その搬送周波数が比較的高い中間周波数、例えば、１０．７ＭＨｚに選定されるものとなし、それにより、イメージ周波数信号を、受信が望まれるＦＭ搬送信号が存在する周波数帯域外に配されて、走査同調動作が行われる際に検出されないものとする配慮がなされている。
【０００５】
【発明が解決しようとする課題】
しかしながら、近年にあっては、電子回路の集積回路（ＩＣ）化技術の進展に伴い、ＦＭ搬送信号の受信に用いられるスーパーヘテロダイン方式をとる受信装置において中間周波信号を扱う回路部を、中間周波フィルタをも含めてＩＣ化するようになされている。即ち、ＦＭ搬送信号の受信に用いられるスーパーヘテロダイン方式をとる受信装置において、その中間周波回路部が中間周波フィルタをも内蔵したＩＣチップが用いられて構成されるのである。
【０００６】
その際、ＩＣチップに内蔵される中間周波フィルタは、当然ながらＩＣチップ内で実現可能とされる抵抗素子と容量素子とによって形成されることになるが、それゆえ、その通過周波数帯域が比較的低い周波数領域に置かれざるを得ないものとされる。従って、中間周波回路部が中間周波フィルタをも内蔵したＩＣチップが用いられて構成されるにあたっては、そこで扱われる中間周波数が、比較的低い周波数、例えば、１５０ｋＨｚに選定されることになる。
【０００７】
このように、ＦＭ搬送信号の受信に用いられるスーパーヘテロダイン方式をとる受信装置において、中間周波数が比較的低い周波数、例えば、１５０ｋＨｚに選定される場合には、イメージ周波数信号が、受信が望まれるＦＭ搬送信号が存在する周波数帯域に混入することになる。そのため、受信周波数が逐次変化せしめられる走査同調動作が行われるにあたり、例えば、或るＦＭ搬送信号との同調状態が望まれるとき、そのＦＭ搬送信号に隣接する他のＦＭ搬送信号に起因するイメージ周波数信号との同調状態がもたらされることになる、誤動作が生じてしまう虞がある。
【０００８】
斯かる点に鑑み、本願の特許請求の範囲に記載された発明は、ＦＭ搬送信号とされる受信が望まれる搬送信号の選択受信をスーパーヘテロダイン方式によって行い、受信された搬送信号に基づく復調出力信号を得るにあたり、中間周波信号の搬送波周波数とされる中間周波数が比較的低く設定されるもとにおいても、受信周波数が逐次段階的に変化せしめられる走査同調動作が行われる際に、イメージ周波数信号による妨害を受ける事態を回避することが可能とされる搬送信号選択受信装置を提供する。
【０００９】
【課題を解決するための手段】
本願の特許請求の範囲における請求項１から請求項４までのいずれかに記載された発明に係る搬送信号選択受信装置は、受信周波数を可変設定する周波数を有した局部発振信号をもって、入力信号を搬送周波数が予め選定された中間周波数とされる中間周波信号に変換する周波数変換部と、周波数変換部から得られる中間周波信号を増幅する中間周波増幅部と、中間周波数に実質的に一致する中心周波数を有した復調特性をもって、中間周波増幅部から得られる中間周波信号に周波数復調を施す周波数復調部と、周波数復調部から得られる復調出力信号の直流電圧レベルが所定のレベル以上であるとき、予め設定されたレベルをとる第１のレベル検出出力信号を発生する直流レベル検出部と、中間周波増幅部から得られる中間周波信号における周波数復調部の中心周波数を含む所定の周波数範囲内にある周波数成分が所定以上のレベルを有するとき、予め設定されたレベルをとる第２のレベル検出出力信号を発生する中間周波レベル検出部と、受信周波数が所定の周波数間隔をもって逐次段階的に変化せしめられる走査同調動作が行われるとき、中間周波レベル検出部からの第２のレベル検出出力信号が予め設定されたレベルをとることになる受信周波数より一段階前の受信周波数が設定されたもとで、直流レベル検出部からの第１のレベル検出出力信号が予め設定されたレベルをとっているか否かにより、入力信号が受信が望まれる搬送信号かイメージ周波数信号かを判別する信号判別部とを備えて構成される。
【００１０】
特に、本願の特許請求の範囲における請求項３に記載された発明に係る搬送信号選択受信装置は、上述の如くの構成のもとに、信号判別部において得られる判別結果が、受信周波数を可変設定する周波数を有した局部発振信号の周波数制御に用いられるものとされる。
【００１１】
このように構成される本願の特許請求の範囲における請求項１から請求項４までのいずれかに記載された発明に係る搬送信号選択受信装置にあっては、中間周波数が比較的低く設定され、それにより、イメージ周波数信号が受信が望まれる搬送信号が存在する周波数帯域内に入り込む状況のもとで、受信周波数が所定の周波数間隔をもって逐次段階的に変化せしめられる走査同調動作が行われるとき、入力信号が受信が望まれる搬送信号であって、周波数復調部から受信が望まれる搬送信号に基づく復調出力信号が得られる状況と、入力信号がイメージ周波数信号であって、周波数復調部からイメージ周波数信号に基づく復調出力信号が得られる状況とでは、中間周波レベル検出部からの第２のレベル検出出力信号が予め設定されたレベルをとることになる受信周波数より一段階前の受信周波数が設定されたもとにおける、直流レベル検出部からの第１のレベル検出出力信号がとるレベル状態が異なるものとされる。
【００１２】
例えば、入力信号が受信が望まれる搬送信号であって、周波数復調部から受信が望まれる搬送信号に基づく復調出力信号が得られる状況にあっては、中間周波レベル検出部からの第２のレベル検出出力信号が予め設定されたレベルをとることになる受信周波数より一段階前の受信周波数が設定されたもとで、直流レベル検出部からの第１のレベル検出出力信号が予め設定されたレベルをとる状態にあるのに対して、入力信号がイメージ周波数信号であって、周波数復調部からイメージ周波数信号に基づく復調出力信号が得られる状況にあっては、中間周波レベル検出部からの第２のレベル検出出力信号が予め設定されたレベルをとることになる受信周波数より一段階前の受信周波数が設定されたもとで、直流レベル検出部からの第１のレベル検出出力信号が予め設定されたレベルをとらない状態にあることになる。
【００１３】
それゆえ、信号判別部においては、受信周波数が所定の周波数間隔をもって逐次段階的に変化せしめられる走査同調動作が行われるとき、このような直流レベル検出部からの第１のレベル検出出力信号と中間周波レベル検出部からの第２のレベル検出出力信号とのレベル関係に基づいて、入力信号が受信が望まれる搬送信号かイメージ周波数信号かが判別される。
【００１４】
従って、この信号判別部による判別結果に応じて、受信周波数を可変設定する周波数を有した局部発振信号の周波数制御が行われるようにされるときには、例えば、入力信号が受信が望まれる搬送信号であると、受信周波数が所定の周波数間隔をもって逐次段階的に変化せしめられる状態が停止されて、受信が望まれる搬送信号が継続的に受信される状態がとられ、それに対して、入力信号がイメージ周波数信号であると、受信周波数が所定の周波数間隔をもって逐次段階的に変化せしめられる状態が継続されるようにされることにより、イメージ周波数信号による妨害を受ける事態を回避することができることになる。このことは、例えば、本願の特許請求の範囲における請求項３に記載された発明に係る搬送信号選択受信装置によって実現される。
【００１５】
【発明の実施の形態】
図１は、本願の特許請求の範囲における請求項１から請求項４までのいずれかに記載された発明に係る搬送信号選択受信装置の一例を示す。この例は、ＦＭラジオ放送信号をＦＭ搬送信号として受信するものとされている。
【００１６】
図１に示される例にあっては、アンテナ１１を通じたＦＭ搬送信号ＳＦＭが含まれる入力信号が、高周波増幅部１２により増幅されて、周波数変換回路１３及び１４の夫々に供給される。ＦＭ搬送信号ＳＦＭは、ＦＭラジオ放送信号であって、例えば、搬送波周波数が７６ＭＨｚから１０８ＭＨｚまでの周波数帯域内にあるものとされる。
【００１７】
また、図１に示される例にあっては、局部発振回路１５及びマイクロ・コンピュータ１６が備えられている。局部発振回路１５は、受信周波数から所定の周波数、例えば、１５０ｋＨｚだけ低い周波数の２倍の周波数を有するものとされる発振出力信号ＳＯＣを発生し、この局部発振回路１５から得られる発振出力信号ＳＯＣの周波数は、マイクロ・コンピュータ１６からの制御信号ＣＣＶによって制御される。即ち、図１に示される例においては、マイクロ・コンピュータ１６からの制御信号ＣＣＶによる、局部発振回路１５から得られる発振出力信号ＳＯＣについての周波数制御が行われるもとで、その受信周波数が、局部発振回路１５から発せられる発振出力信号ＳＯＣの周波数の１／２に相当する周波数より１５０ｋＨｚだけ高い周波数として可変設定されることになる。
【００１８】
局部発振回路１５から得られる発振出力信号ＳＯＣは、１／２分周回路１７に供給され、１／２分周回路１７において１／２分周処理を受ける。それにより、１／２分周回路１７からは、各々が発振出力信号ＳＯＣの周波数の１／２に相当する周波数を有し、かつ、相互間に９０度の位相差を有するものとされた、二つの局部発振信号ＳＯＬＯとＳＯＬＱとが得られ、局部発振信号ＳＯＬＯが周波数変換回路１３に供給されるとともに、局部発振信号ＳＯＬＱが周波数変換回路１４に供給される。斯かる１／２分周回路１７から得られる局部発振信号ＳＯＬＯ及びＳＯＬＱの夫々は、その周波数により、図１に示される例における受信周波数を、局部発振信号ＳＯＬＯ及びＳＯＬＱの夫々の周波数より１５０ｋＨｚだけ高い周波数として可変設定することになる。
【００１９】
周波数変換回路１３からは、高周波増幅部１２を通じて供給される信号が局部発振信号ＳＯＬＯをもって周波数変換されて得られる、中間周波信号ＳＩＦＡが導出される。また、周波数変換回路１４からは、高周波増幅部１２を通じて供給される入力信号が局部発振信号ＳＯＬＱをもって周波数変換されて得られる、中間周波信号ＳＩＦＢが導出される。このようにして得られる中間周波信号ＳＩＦＡ及びＳＩＦＢの夫々は、その搬送波周波数を、受信周波数と局部発振信号ＳＯＬＯ及びＳＯＬＱの夫々の周波数との差、即ち、１５０ｋＨｚとされた中間周波数とするものとされる。
【００２０】
周波数変換回路１３から導出される中間周波信号ＳＩＦＡ及び周波数変換回路１４から導出される中間周波信号ＳＩＦＢは、４次の移相回路網から成る移相部１８に供給される。そして、移相部１８からは、中間周波信号ＳＩＦＡ及び中間周波信号ＳＩＦＢに基づく、各々が搬送波周波数を１５０ｋＨｚに選定された中間周波数とし、相互間に９０度の位相差を有した二つの中間周波信号ＳＩＦＯ及びＳＩＦＱが導出され、それらが信号加算部１９に供給される。
【００２１】
周波数変換回路１３及び１４と移相部１８とは、イメージ周波数信号に対する抑圧部を形成しており、この抑圧部によって、イメージ周波数信号は、例えば、約４０ｄＢの抑圧を受ける。
【００２２】
信号加算部１９からは、中間周波信号ＳＩＦＯと中間周波信号ＳＩＦＱとが加算されて形成される、搬送波周波数を１５０ｋＨｚに選定された中間周波数とする中間周波信号ＳＩＦが得られ、それが中間周波フィルタ２０を通じて導出される。従って、周波数変換回路１３及び１４，局部発振回路１５，１／２分周回路１７，移相部１８及び信号加算部１９は、全体で、高周波増幅部１２を通じて供給される信号についての、搬送周波数を１５０ｋＨｚに選定された中間周波数とする中間周波信号ＳＩＦへの周波数変換を行う、周波数変換部を形成していることになる。そして、中間周波フィルタ２０を通じて導出される中間周波信号ＳＩＦは、中間周波増幅部２１に供給され、中間周波増幅部２１により所定の増幅度をもって増幅される。
【００２３】
中間周波増幅部２１において増幅された中間周波信号ＳＩＦは、周波数復調部２２に供給される。周波数復調部２２は、１５０ｋＨｚに選定された中間周波数を中心周波数とする周波数復調特性を具えたものとされる。そして、周波数復調部２２から、中間周波信号ＳＩＦが周波数復調されて得られる復調出力信号ＳＡが導出される。
【００２４】
周波数復調部２２から得られる復調出力信号ＳＡは、端子２３に導出されるとともに、離調検出部２４に供給される。さらに、周波数復調部２２から得られる復調出力信号ＳＡは、周波数復調部２２の出力端と接地電位点間に配された抵抗素子２５とコンデンサ２６との直列接続に供給され、それによって、抵抗素子２５及びコンデンサ２６の間の接続点と接地電位点との間（コンデンサ２６の両端間）に、復調出力信号ＳＡに基づく直流電圧ＶＳＡが得られる。
【００２５】
コンデンサ２６の両端間に得られる復調出力信号ＳＡに基づく直流電圧ＶＳＡは、レベル比較部２７の比較入力端に供給される。レベル比較部２７の基準入力端には、電圧源２８からの、コンデンサ２６の両端間に得られる復調出力信号ＳＡに基づく直流電圧ＶＳＡの中央レベルＶＣに対応する基準直流電圧ＶＲＥが供給される。それにより、レベル比較部２７からは、直流電圧ＶＳＡが基準直流電圧ＶＲＥ以上であるとき、即ち、周波数復調部２２から得られる復調出力信号ＳＡの直流電圧レベルが、中間周波増幅部２１から得られる中間周波信号ＳＩＦにおける周波数復調部２２の中心周波数に対応する周波数成分に応じて得られる復調出力信号ＳＡの直流電圧レベルである、直流電圧ＶＳＡの中央レベルＶＣ以上であるとき、予め設定されたレベルをとる第１のレベル検出出力信号ＶＣＯが得られる。従って、レベル比較部２７は、周波数復調部２２から得られる復調出力信号ＳＡの直流電圧レベルが所定のレベル以上であるとき、予め設定されたレベルをとる第１のレベル検出出力信号ＶＣＯを発生する直流レベル検出部を形成している。このレベル比較部２７から得られる第１のレベル検出出力信号ＶＣＯは、マイクロ・コンピュータ１６に供給される。
【００２６】
また、コンデンサ２６の両端間に得られる復調出力信号ＳＡに基づく直流電圧ＶＳＡは、離調検出部２４に供給される。そして、離調検出部２４からは、中間周波増幅部２１から得られる中間周波信号ＳＩＦにおける、１５０ｋＨｚに設定された中間周波数を中心とする所定の周波数範囲、例えば、中間周波数より５０ｋＨｚだけ低い周波数（１００ｋＨｚ）から中間周波数より５０ｋＨｚだけ高い周波数（２００ｋＨｚ）までの周波数範囲に属する周波数成分に基づく復調出力信号ＳＡが周波数復調部２２から得られるとき、予め設定された高レベルをとる検出出力信号ＶＣＦが得られて、その検出出力信号ＶＣＦがアンド回路２９の一対の入力端の一方に供給される。
【００２７】
また、中間周波増幅部２１において増幅された中間周波信号ＳＩＦは、レベル検出部３０にも供給される。レベル検出部３０からは、中間周波増幅部２１からの中間周波信号ＳＩＦが所定以上のレベルを有するとき、予め設定された高レベルをとる検出出力信号ＶＳＩＦが得られ、その検出出力信号ＶＳＩＦがアンド回路２９の一対の入力端の他方に供給される。
【００２８】
それにより、アンド回路２９からは、離調検出部２４からの検出出力信号ＶＣＦが予め設定された高レベルをとり、かつ、レベル検出部３０からの検出出力信号ＶＳＩＦが予め設定された高レベルをとるとき、即ち、中間周波増幅部２１から得られる中間周波信号ＳＩＦにおける、１５０ｋＨｚに設定された中間周波数、従って、周波数復調部２２の中心周波数を含む所定の周波数範囲、例えば、中間周波数より５０ｋＨｚだけ低い周波数（１００ｋＨｚ）から中間周波数より５０ｋＨｚだけ高い周波数（２００ｋＨｚ）までの周波数範囲内にある周波数成分が所定以上のレベルを有するとき、予め設定されたレベルをとる第２のレベル検出出力信号ＶＤＣが得られる。従って、アンド回路２９は、中間周波増幅部２１から得られる中間周波信号ＳＩＦにおける周波数復調部２２の中心周波数を含む所定の周波数範囲内にある周波数成分が所定以上のレベルを有するとき、予め設定されたレベルをとる第２のレベル検出出力信号ＶＤＣを発生する中間周波レベル検出部を形成している。このアンド回路２９から得られる第２のレベル検出出力信号ＶＤＣも、マイクロ・コンピュータ１６に供給される。
【００２９】
マイクロ・コンピュータ１６においては、例えば、入力操作部３１が操作されて、走査同調動作が行われるべきことを命令するものとされた指令信号ＳＸが供給されるとき、図１に示される例における受信周波数を、例えば、１００ｋＨｚとされる所定の周波数間隔をもって逐次段階的に変化させるためのものとされた制御信号ＣＣＶが、局部発振回路１５に供給されるとともに、レベル比較部２７からの第１のレベル検出出力信号ＶＣＯとアンド回路２９からの第２のレベル検出出力信号ＶＤＣとから、そのとき高周波増幅部１２から周波数変換部１３及び１４の夫々に供給されている入力信号が、受信が望まれるＦＭ搬送信号ＳＦＭかイメージ周波数信号かが判別される。
【００３０】
マイクロ・コンピュータ１６からの受信周波数を所定の周波数間隔をもって逐次段階的に変化させるためのものとされた制御信号ＣＣＶが供給される局部発振回路１５は、その制御信号ＣＣＶに応じて発振出力信号ＳＯＣの周波数を逐次変化させて、１／２分周部１７から得られる局部発振信号ＳＯＬＯ及びＳＯＬＱの夫々の周波数を、例えば、１００ｋＨｚとされる所定の周波数間隔をもって逐次段階的に増加していくように変化させ、それに伴って、図１に示される例における受信周波数、即ち、局部発振信号ＳＯＬＯ及びＳＯＬＱの夫々の周波数より１５０ｋＨｚだけ高い周波数を、例えば、７６ＭＨｚより低い周波数から１００ｋＨｚの周波数間隔をもって逐次段階的に増加していくように変化させ、走査同調動作が行われる状態となす。
【００３１】
ここで、高周波増幅部１２を通じて周波数変換部１３及び１４の夫々に供給される受信が望まれる入力信号として、搬送波周波数を９０ＭＨｚとするＦＭ搬送信号ＳＦＭがあるとすると、受信周波数が９０ＭＨｚとされるとき、即ち、局部発振信号ＳＯＬＯ及びＳＯＬＱの夫々の周波数がそれより１５０ＭＨｚ低い８９．８５ＭＨｚとされるとき、中間周波増幅部２１から、搬送波周波数を９０ＭＨｚとするＦＭ搬送信号ＳＦＭと周波数を８９．８５ＭＨｚとする局部発振信号ＳＯＬＯ及びＳＯＬＱの夫々とに基づく、搬送波周波数を１５０ｋＨｚに選定された中間周波数とする中間周波数ＳＩＦが得られる。さらに、その後、受信周波数が９０．３ＭＨｚとされるとき、即ち、局部発振信号ＳＯＬＯ及びＳＯＬＱの夫々の周波数がそれより１５０ＭＨｚ低い９０．１５ＭＨｚとされるとき、中間周波増幅部２１から、搬送波周波数を９０ＭＨｚとするＦＭ搬送信号ＳＦＭと周波数を９０．１５ＭＨｚとする局部発振信号ＳＯＬＯ及びＳＯＬＱの夫々とに基づく、搬送波周波数を１５０ｋＨｚに選定された中間周波数とする中間周波数ＳＩＦが得られる。
【００３２】
この受信周波数が９０．３ＭＨｚとされるとき、即ち、局部発振信号ＳＯＬＯ及びＳＯＬＱの夫々の周波数が９０．１５ＭＨｚとされるとき、中間周波増幅部２１から得られる中間周波数ＳＩＦは、実際には搬送波周波数を９０．３ＭＨｚとするＦＭ搬送信号が存在しないにもかかわらず、搬送波周波数を９０ＭＨｚとするＦＭ搬送信号ＳＦＭが存在することにより、受信周波数が９０．３ＭＨｚとされるもとで得られるものであって、搬送波周波数を９０ＭＨｚとするＦＭ搬送信号ＳＦＭの存在に起因するイメージ周波数信号に基づいて得られるものである。
【００３３】
このような、受信周波数が、例えば、７６ＭＨｚより低い周波数から１００ｋＨｚの周波数間隔をもって逐次段階的に増加していくように変化せしめられる走査同調動作が行われるとき、コンデンサ２６の両端間に得られる復調出力信号ＳＡに基づく直流電圧ＶＳＡは、図２のＡに示される如くに、受信周波数が１００ｋＨｚの周波数間隔をもって逐次段階的に増加していくに伴って、基準直流電圧ＶＲＥに相当する中央レベルＶＣをもって変化する。それに伴い、レベル比較部２７から得られる第１のレベル検出出力信号ＶＣＯは、図２におけるＢに示される如く、直流電圧ＶＳＡのレベルが中央レベルＶＣ以上のときのみ、予め設定されたレベル（α）をとる。そして、アンド回路２９から得られる第２のレベル検出出力信号ＶＤＣは、図２のＣに示される如く、受信周波数が９０ＭＨｚとされるとき、搬送波周波数を９０ＭＨｚとする受信が望まれるＦＭ搬送信号ＳＦＭに応じて中間周波増幅部２１から得られる中間周波数ＳＩＦに基づいて予め設定されたレベル（β）をとるとともに、受信周波数が９０．３ＭＨｚとされるとき、搬送波周波数を９０．３ＭＨｚとするイメージ周波数信号に応じて中間周波増幅部２１から得られる中間周波数ＳＩＦに基づいて予め設定されたレベル（β）をとるものとされる。
【００３４】
そしてこのとき、マイクロ・コンピュータ１６においては、受信周波数が９０ＭＨｚとされるとき得られる、アンド回路２９から得られる第２のレベル検出出力信号ＶＤＣにおける、搬送波周波数を９０ＭＨｚとするＦＭ搬送信号ＳＦＭに応じた、予め設定されたレベルβを有する部分（部分ＴＵと言う）と、受信周波数が９０．３ＭＨｚとされるとき得られる、アンド回路２９から得られる第２のレベル検出出力信号ＶＤＣにおける、搬送波周波数を９０．３ＭＨｚとするイメージ周波数信号に応じた、予め設定されたレベルβを有する部分（部分ＥＲと言う）とが識別され、それによって、そのとき高周波増幅部１２から周波数変換部１３及び１４の夫々に供給されている入力信号が、受信が望まれるＦＭ搬送信号ＳＦＭかイメージ周波数信号かが判別される。
【００３５】
斯かる部分ＴＵと部分ＥＲとの識別は、受信周波数が９０ＭＨｚとされるとき、第２のレベル検出出力信号ＶＤＣにおける部分ＴＵが得られる際には、図２のＢに示される如く、受信周波数が９０ＭＨｚより一段階前の９８．９ＭＨｚとされるもとにおいて、レベル比較部２７から得られる第１のレベル検出出力信号ＶＣＯが予め設定されたレベルαをとる状態にあり、それに対して、受信周波数が９０．３ＭＨｚとされるとき、第２のレベル検出出力信号ＶＤＣにおける部分ＥＲが得られる際には、図２のＢに示される如く、受信周波数が９０．３ＭＨｚより一段階前の９０．２ＭＨｚとされるもとにおいて、レベル比較部２７から得られる第１のレベル検出出力信号ＶＣＯが予め設定されたレベルαをとらない状態にあることに基づいてなされる。
【００３６】
そして、第２のレベル検出出力信号ＶＤＣにおける部分ＴＵが検知されたときには、そのとき高周波増幅部１２から周波数変換部１３及び１４の夫々に供給されている入力信号が、受信が望まれるＦＭ搬送信号ＳＦＭであると認識され、また、第２のレベル検出出力信号ＶＤＣにおける部分ＥＲが検知されたときには、そのとき高周波増幅部１２から周波数変換部１３及び１４の夫々に供給されている入力信号が、イメージ周波数信号であると認識される。
【００３７】
このように、マイクロ・コンピュータ１６は、受信周波数が、例えば、１００ｋＨｚの周波数間隔をもって逐次段階的に増加していくように変化せしめられる走査同調動作が行われるもとで、レベル比較部２７から得られる第１のレベル検出出力信号ＶＣＯとアンド回路２９から得られる第２のレベル検出出力信号ＶＤＣとから、高周波増幅部１２から周波数変換部１３及び１４の夫々に供給されている入力信号が、受信が望まれるＦＭ搬送信号ＳＦＭかイメージ周波数信号かを判別する信号判別部を形成していることになる。
【００３８】
そして、マイクロ・コンピュータ１６は、上述の判別の結果、高周波増幅部１２から周波数変換部１３及び１４の夫々に供給されている入力信号が、受信が望まれるＦＭ搬送信号ＳＦＭであるときには、局部発振回路１５に供給される制御信号ＣＣＶを、局部発振回路１５の発振出力信号ＳＯＣの周波数を変化させないようにするものとなし、また、高周波増幅部１２から周波数変換部１３及び１４の夫々に供給されている入力信号が、イメージ周波数信号であるときには、局部発振回路１５に供給される制御信号ＣＣＶを、局部発振回路１５の発振出力信号ＳＯＣの周波数の変化を継続させるものとなす。それにより、高周波増幅部１２から周波数変換部１３及び１４の夫々に供給されている入力信号が、受信が望まれるＦＭ搬送信号ＳＦＭであるときには、そのときの受信周波数が変化せしめられることなく維持され、受信が望まれるＦＭ搬送信号ＳＦＭの受信状態が維持される。それに対して、高周波増幅部１２から周波数変換部１３及び１４の夫々に供給されている入力信号が、イメージ周波数信号であるときには、受信周波数が所定の周波数間隔をもって逐次段階的に増加せしめられる状態が継続され、イメージ周波数信号が継続的に受信される状態がとられないようにされて、イメージ周波数信号による妨害を受ける事態が回避される。
【００３９】
【発明の効果】
以上の説明から明らかな如く、本願の特許請求の範囲における請求項１から請求項４までのいずれかに記載された発明に係る搬送信号選択受信装置によれば、中間周波数が比較的低く設定され、それにより、イメージ周波数信号が受信が望まれる搬送信号が存在する周波数帯域内に入り込む状況のもとで、受信周波数が所定の周波数間隔をもって逐次段階的に変化せしめられる走査同調動作が行われるとき、入力信号が受信が望まれる搬送信号であって、周波数復調部から受信が望まれる搬送信号に基づく復調出力信号が得られる状況と、入力信号がイメージ周波数信号であって、周波数復調部からイメージ周波数信号に基づく復調出力信号が得られる状況とでは、中間周波レベル検出部からの第２のレベル検出出力信号が予め設定されたレベルをとることになる受信周波数より一段階前の受信周波数が設定されたもとにおける、直流レベル検出部からの第１のレベル検出出力信号がとるレベル状態が異なるものとされる。そして、信号判別部において、受信周波数が所定の周波数間隔をもって逐次段階的に変化せしめられる走査同調動作が行われるとき、このような直流レベル検出部からの第１のレベル検出出力信号と中間周波レベル検出部からの第２のレベル検出出力信号とのレベル関係に基づいて、入力信号が受信が望まれる搬送信号かイメージ周波数信号かが判別される。
【００４０】
従って、この信号判別部による判別結果に応じて、受信周波数を可変設定する周波数を有した局部発振信号の周波数制御が行われるようにされるときには、例えば、入力信号が受信が望まれる搬送信号であると、受信周波数が所定の周波数間隔をもって逐次段階的に変化せしめられる状態が停止されて、受信が望まれる搬送信号が継続的に受信される状態がとられ、それに対して、入力信号がイメージ周波数信号であると、受信周波数が所定の周波数間隔をもって逐次段階的に変化せしめられる状態が継続されるようにされることにより、イメージ周波数信号による妨害を受ける事態を回避することができることになる。
【図面の簡単な説明】
【図１】  本願の特許請求の範囲における請求項１から請求項４までのいずれかに記載された発明に係る搬送信号選択受信装置の一例を示すブロック接続図である。
【図２】図１に示される例の動作説明に供されるレベル−周波数特性図である。
【符号の説明】
１１  アンテナ      １２  高周波増幅部      １３，１４  周波数変換回路１５  局部発振回路      １６  マイクロ・コンピュータ      １７  １／２分周回路      １８  移相部      １９  信号加算部      ２０  中間周波フィルタ      ２１  中間周波増幅部      ２２  周波数復調部      ２４  離調検出部      ２５  抵抗素子      ２６  コンデンサ      ２７  レベル比較部      ２８  電圧源      ２９  アンド回路      ３０  レベル検出部      ３１  入力操作部
【図１】
0003804189.tif 000002
【図２】
0003804189.tif 000003